(57)【要約】【課題】  光学式ピックアップによりディスクに信号を記録することが出来る光ディスク記録再生装置の記録制御方法を提供する。【解決手段】  記録動作時光学式ピックアップを記録開始位置の直前の位置に移動させて信号の再生動作を行い、再生される信号の中からディスクに記録されている記録信号及びディスクに形成されているプリグルーブから得られるディスク信号を抽出し、ディスク信号のアドレスデータに基いて記録開始位置を認識するとともにディスク信号から得られるディスク同期信号の間隔を測定し、アドレスの認識及びディスク同期信号の間隔が正常と判断されたとき記録動作を開始させ、ディスク信号のアドレスデータが認識されない場合又はディスク同期信号の間隔が正常ではない場合は、記録信号の有無によって記録動作の制御動作を記録信号を使用して行うかディスク信号を使用して行うかを選択する。【選択図】    図１
2005228452.tif 000002
【特許請求の範囲】
【請求項１】
コンピューター装置より出力される記録命令に基づき光学式ピックアップをディスク上の記録開始位置に移動させて信号の記録動作を開始させるように構成された光ディスク記録再生装置の記録制御方法であり、記録動作時光学式ピックアップを記録開始位置の直前の位置に移動させて信号の再生動作を行い、再生される信号の中からディスクに記録されている記録信号及びディスクに形成されているプリグルーブから得られるディスク信号を抽出し、ディスク信号のアドレスデータに基いて記録開始位置を認識するとともにディスク信号から得られるディスク同期信号の間隔を測定し、アドレスの認識及びディスク同期信号の間隔が正常と判断されたとき記録動作を開始させ、ディスク信号のアドレスデータが認識されない場合又はディスク同期信号の間隔が正常ではない場合は、記録信号の有無によって記録動作の制御動作を記録信号を使用して行うかディスク信号を使用して行うかを選択するようにしたことを特徴とする光ディスク記録再生装置の記録制御方法。
【請求項２】
記録信号が有る場合は、光学式ピックアップを記録開始位置の直前の位置に移動させて信号の再生動作を行い、記録信号から得られるアドレスデータに基づいて記録開始位置を認識させて記録動作を開始させるようにしたことを特徴とする請求項１に記載の記録制御方法。
【請求項３】
記録信号が無い場合は、光学式ピックアップを記録開始位置の直前の位置に移動させて信号の再生動作を行い、ディスク信号から得られるアドレスデータに基づいて記録開始位置を認識するとともにディスク信号から得られるディスク同期信号の間隔を測定し、アドレスの認識動作が正常に行われた場合及びディスク同期信号の間隔が正常と判断された場合に記録動作を開始させるようにしたことを特徴とする請求項１に記載の記録制御方法。
【請求項４】
アドレスデータの認識動作が正常に行われない場合又はディスク同期信号の間隔が正常でない場合は、光学式ピックアップを記録開始位置の直前の位置に移動させて信号の再生動作を行い、ディスク信号から得られるアドレスデータの認識動作及びディスク同期信号の間隔測定動作を繰り返し行うようにしたことを特徴とする請求項３に記載の記録制御方法。
【請求項５】
所定回数アドレスデータの認識動作が正常に行われない場合又はディスク同期信号の間隔が正常でない場合は、エラー処理を行うようにしたことを特徴とする請求項４に記載の記録制御方法。
【請求項６】
ディスク信号がＡＤＩＰ信号であることを特徴とする請求項１に記載の記録制御方法。
【請求項７】
ディスク信号がＬＰＰ信号であることを特徴とする請求項１に記載の記録制御方法。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置の記録制御方法に関する。
【背景技術】
【０００２】
光学式ピックアップを用いてディスクに記録されている信号の読み出し動作を行うディスクプレーヤーが普及しているが、再生機能に加えて光学式ピックアップより照射されるレーザー光によってディスクに信号を記録することが出来るように構成された光ディスク記録再生装置が商品化されている。
【０００３】
記録用ディスク、例えばＤＶＤ(Ｄｉｇｉｔａｌ  Ｖｅｒｓａｔｉｌｅ  Ｄｉｓｋ)には、プリグルーブと呼ばれる蛇行した溝が設けられており、このプリグルーブより得られるウォブル信号を復調することによって時間情報、即ちディスクアドレスが得られる。このプリグルーブより得られるウォブル信号によってディスクに記録されている時間情報は、ＡＤＩＰ(Ａｄｄｒｅｓｓ  ｉｎ  Ｐｒｅ−ｇｒｏｏｖｅ)と呼ばれている。また、ウォブル信号の中には、ディスクを回転駆動するスピンドルモーターの回転制御動作やディスクに記録されている信号の再生動作及びディスクへの信号の記録動作を行う場合に使用される同期信号が所定の間隔で再生されるように設けられている。
【０００４】
そして、光ディスク記録再生装置における記録動作は、ディスクより得られるＡＤＩＰ信号であるディスクアドレスと記録信号であるデータに付加されるデータアドレスとが一致するように行われる。
【０００５】
また、光ディスク記録再生装置では、ホスト機器であるコンピューター装置からの記録命令信号に従って信号のディスクへの記録動作を行うように構成されているが、斯かる記録動作は、ディスクに記録する信号を一旦バッファ用ＲＡＭに記憶させ、該バッファ用ＲＡＭに記憶されている信号を読み出すことによって行うように構成されている。
【０００６】
コンピューター装置と接続されて使用される光ディスク記録再生装置は、ディスクへの記録動作を短時間にて行うことが要求されるため、最近では、規定の線速度だけでなく、規定の線速度に対して高速度である４倍、８倍等の線速度一定の状態にてディスクを回転制御させた状態で信号の記録動作を行うことが出来るように構成されている。
【０００７】
光ディスク記録再生装置において、記録動作は記録開始位置に光学式ピックアップを移動させ、その記録開始位置のアドレスを検出することによって記録動作を開始させるように構成されている(例えば、特許文献１参照。)。
【特許文献１】特開２００３−２９７０１７号公報
【発明の開示】
【発明が解決しようとする課題】
【０００８】
ディスク上の所定の位置から記録動作を開始させるためには、ディスクから読み出されるアドレスデータを正確に認識する必要があり、ＡＤＩＰ信号から得られるアドレスを認識して記録動作を行うように構成されている。また、記録動作を中断させた後に記録動作を中断位置から開始させる場合には、ディスクから得られるディスク同期信号と記録動作に使用するクロック信号との同期合わせ処理を正確に行う必要がある。
【０００９】
ディスクへの記録速度の高速化や記録用ディスクの特性上のバラツキによってＡＤＩＰ信号の読み出し動作を正確に行うことが出来ないという問題が多く発生している。ＡＤＩＰ信号のアドレスが認識されない場合や同期信号の抽出動作が正常に行われない場合には、光学式ピックアップを記録開始位置の直前の位置に戻してアドレスデータの読み出し認識動作や同期信号の抽出動作を行うようにされているが、斯かる動作を所定回数行ったにも関わらずアドレスデータや同期信号が正確に認識されなかった場合には、エラーとして処理するようにされている。
【００１０】
本発明は、斯かる問題を解決することが出来る光ディスク記録再生装置の記録制御方法を提供しようとするものである。
【課題を解決するための手段】
【００１１】
本発明は、コンピューター装置より出力される記録命令に基づき光学式ピックアップをディスク上の記録開始位置に移動させて信号の記録動作を開始させるように構成された光ディスク記録再生装置の記録制御方法であり、記録動作時光学式ピックアップを記録開始位置の直前の位置に移動させて信号の再生動作を行い、再生される信号の中からディスクに記録されている記録信号及びディスクに形成されているプリグルーブから得られるディスク信号を抽出し、ディスク信号のアドレスデータに基いて記録開始位置を認識するとともにディスク信号から得られるディスク同期信号の間隔を測定し、アドレスの認識及びディスク同期信号の間隔が正常と判断されたとき記録動作を開始させ、ディスク信号のアドレスデータが認識されない場合又はディスク同期信号の間隔が正常ではない場合は、記録信号の有無によって記録動作の制御動作を記録信号を使用して行うかディスク信号を使用して行うかを選択するように構成されている。
【発明の効果】
【００１２】
本発明は、記録動作時光学式ピックアップを記録開始位置の直前の位置に移動させて信号の再生動作を行い、再生される信号の中からディスクに記録されている記録信号及びディスクに形成されているプリグルーブから得られるディスク信号を抽出し、ディスク信号のアドレスデータに基いて記録開始位置を認識するとともにディスク信号から得られるディスク同期信号の間隔を測定し、アドレスの認識及びディスク同期信号の間隔が正常と判断されたとき記録動作を開始させ、ディスク信号のアドレスデータが認識されない場合又はディスク同期信号の間隔が正常ではない場合は、記録信号の有無によって記録動作の制御動作を記録信号を使用して行うかディスク信号を使用して行うかを選択するようにしたので、ディスクの記録状態に合わせた記録制御動作を行うことが出来る。
【００１３】
また、本発明は、信号が記録されているディスクを使用したとき、ディスク信号のアドレスデータが認識されない場合には、記録されている信号より抽出されるアドレスデータに基づいて記録開始位置の認識動作を行うようにしたので、エラーとして処理される回数を減らすことが出来る。
【００１４】
更に、本発明は、アドレスデータの認識動作が正常に行われない場合又はディスク同期信号の間隔が正常でない場合は、光学式ピックアップを記録開始位置の直前の位置に移動させて信号の再生動作を行い、ディスク信号から得られるアドレスデータの認識動作及びディスク同期信号の間隔測定動作を繰り返し行うようにエラーとして処理される回数を減らすことが出来る。
【発明を実施するための最良の形態】
【００１５】
本発明は、記録動作開始位置の認識動作に使用されるアドレスデータをディスク信号と記録信号の何れかから選択して利用するようにしたものである。
【実施例】
【００１６】
図１は本発明の記録制御方法を説明するためのフローチャート、図２は本発明に係る光ディスク記録再生装置の一実施例を示す回路図である。
【００１７】
図２において、１はスピンドルモーター(図示せず)によって回転駆動されるディスクであり、位置情報データ、即ちアドレスデータがプリグルーブと呼ばれる溝によって記録されており、この溝より得られるＡＤＩＰ信号に基づいて信号の記録再生動作が行われるように構成されている。２はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１８】
３は前記光学式ピックアップ２に組み込まれている光検出器から得られるＲＦ信号を増幅するとともに波形成形し、２値化信号を出力するＲＦ信号増幅回路、４は前記光学式ピックアップ２に組み込まれている光検出器から得られる信号に基づいて前記光学式ピックアップ２より出力される光ビームをディスク１の信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。
【００１９】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホスト機器として設けられているコンピューター装置７に出力する作用を成すものである。
【００２０】
８は前記デジタル信号処理回路５によって復調された信号が入力されるとともに前記コンピューター装置７から出力される命令信号に応じて種々な制御動作を行うシステム制御回路である。９はテスト信号や情報信号等の記録信号が入力されるとともにその信号をエンコード処理した後レーザー駆動回路１０に供給し、該レーザー駆動回路１０によるレーザーの照射動作を制御することによってデータ信号等を前記ディスク１に記録させる信号記録用回路である。
【００２１】
１１はディスク１に記録される信号が一旦記憶されるバッファ用ＲＡＭであり、前記コンピューター装置７より出力される信号が書き込まれるとともにシステム制御回路８の制御動作によって信号の書き込み動作及び読み出し動作が制御されるように構成されている。そして、前記バッファ用ＲＡＭ１１へ書き込まれた信号は、ディスク１に記録するべく読み出された後も記憶保持された状態にあり、その後コンピューター装置７より出力される新しい信号がその位置に記憶されることによって順次上書き消去されるように構成されている。
【００２２】
１２は前記ＲＦ信号増幅回路３より得られる信号の中からディスク１に記録された信号を復調する記録信号デコード回路であり、復調された信号はシステム制御回路８に入力されるように接続されている。１３は前記ＲＦ信号増幅回路３より得られる信号の中からＡＤＩＰ信号、即ちディスク信号を復調するディスク信号デコード回路であり、復調された信号はシステム制御回路８に入力されるように接続されている。１４はディスク信号デコード回路１３によって復調される信号から連続して抽出される同期信号と同期信号との間
隔を測定する同期信号間隔測定回路であり、測定された値をシステム制御回路８に出力するように構成されている。
【００２３】
１５は記録動作や再生動作を行うクロック信号を生成するクロック信号生成回路であり、ディスク１から再生されるＡＤＩＰ信号であるディスク信号や記録信号から得られる同期信号に基いてクロック信号を出力するように構成されている。１６は記録動作を行う場合にディスク１から再生される同期信号とクロック信号生成回路から出力される記録用のクロック信号とが同期するように制御する同期処理回路である。
【００２４】
斯かる構成において、ディスク１への信号の記録動作時、バッファ用ＲＡＭ１１にはコンピューター装置７から出力される信号が記憶され、その記憶されている信号の読み出し動作を制御することによってディスク１への信号の記録動作を制御するように構成されている。
【００２５】
また、本実施例を構成する各回路は、ディスク１に記録されている信号の再生動作を規定の速度ではなく高速にて行う場合や高速にて信号の記録動作を行う場合には、各速度に対応した制御動作を行うように構成されている。斯かる制御動作は、各速度に応じて設定されている周波数のクロック信号を発生させることにより行うように構成されている。
【００２６】
以上の如く、本発明に係る光ディスク記録再生装置は構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザー素子には、信号の読み出し動作を行うためのレーザー出力が得られる駆動電流がレーザー駆動回路１０より供給されるように設定されている。
【００２７】
斯かる再生動作のための制御動作が開始されると、スピンドルモーターの回転制御動作が行われるが、斯かるスピンドルモーターの回転制御動作は、ディスク１より再生されるディスク信号から抽出される同期信号を利用して行われることになる。そして、斯かる回転制御動作は、後述する信号の記録動作時にも同様に行われる。
【００２８】
スピンドルモーターの回転制御動作は、以上の如く行われるが、信号の読み出し動作を行う光学式ピックアップ２では、フォーカシング制御動作及びトラッキング制御動作が開始されて該光学式ピックアップ２によるディスク１からの信号の読み出し動作が行われるが、再生動作に先だってディスク１の最初のセッションを構成するリードイン領域に記録されているＴＯＣデータの読み出し動作が行われる。
【００２９】
ディスク１に記録されている最初のセッションの信号記録領域に記録されている信号の読み出し再生動作は、リードイン領域に記録されているＴＯＣデータに基づいて行われることになる。前記光学式ピックアップ２によって読み出された信号は、ＲＦ信号増幅回路３を通して増幅及び波形成形されて２値化された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００３０】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００３１】
以上に説明したように本実施例における再生動作は行われるが、次にディスク１への信号の記録動作について説明する。
【００３２】
ディスク１に信号を記録する動作は、まずディスク１の内周側に設けられている試し書き領域にテスト信号をレーザー出力を変更しながら記録するとともにその記録されたテスト信号を再生し、所望の再生特性が得られた信号を記録したレーザー出力値を記録動作を行うために適したレーザー出力値として設定するという動作が行われる。
【００３３】
斯かるレーザー出力の設定動作が行われると、ディスク１のＰＭＡ(Ｐｒｏｇｒａｍ  Ｍａｎａｇｅｍｅｎｔ  Ａｒｅａ)と呼ばれる領域に記録されている情報データ、即ち信号記録領域に記録されている信号の位置情報等を読み出す動作が行われる。そして、このようにして読み出された情報データに基づいてディスク１に設けられている信号記録領域にデータ信号の記録動作が可能であるか、また、記録動作を行う位置は何処か等の認識動作が行われる。
【００３４】
斯かる認識処理動作が終了すると、光学式ピックアップ２をディスク１上の記録動作を開始する位置まで移動させるとともにバッファ用ＲＡＭ１１への記録信号の書き込み動作が行われる。前記バッファ用ＲＡＭ１１への信号の書き込み動作が行われると、該バッファ用ＲＡＭ１１に記憶される信号の記憶量が次第に上昇することになる。その記憶量が所定量を越えると、前記バッファ用ＲＡＭ１１に記憶されている信号を読み出し、その読み出された信号を前記信号記録用回路９に入力せしめる。その結果、前記信号記録用回路９によるレーザー駆動回路１０の制御動作が行われ、ディスク１に信号が記録されることになる。
【００３５】
前記信号記録用回路９は、前記バッファ用ＲＡＭ１１から読み出された記録信号に対し、同期信号やアドレスデータを付加するとともにディスク１への信号記録規格に合致するように記録信号をエンコード処理し、レーザー駆動回路１０に対して出力する。斯かるエンコード処理された信号が入力されると、その信号に応じた駆動信号をレーザー駆動回路１０が光学式ピックアップ２に組み込まれているレーザー素子に供給する動作が行われる。斯かる駆動信号は、例えば信号の長さに応じたパルス信号であり、そのパルス幅に応じてディスク１上のトラックにピットとして信号が記録される。
【００３６】
斯かる動作によってディスク１への信号の記録動作は行われるが、前記バッファ用ＲＡＭ１１への信号の書き込み動作は、該バッファ用ＲＡＭ１１からの信号の読み出し動作に応じて行われるように構成されている。
【００３７】
前述したようにディスク１への記録動作は行われるが、次に斯かる記録動作を記録開始位置から開始させる制御動作について、図１に示すフローチャートに基づいて説明する。前記バッファ用ＲＡＭ１１に記憶されている記録信号の量が所定量に達すると、記録動作を開始させるための制御動作が開始されるが、まず、光学式ピックアップ２を記録開始位置の直前の位置(以後記録直前位置と記載する)に移動させるとともにその位置から信号の再生動作を行う(ステップＡ)。斯かる記録開始位置は、ＰＭＡに記録されている情報データより認識することが出来るとともにディスク１から得られるアドレスデータに基づいてサーチすることが出来るので、光学式ピックアップ２を記録直前位置に移動させることが出来る。記録直前位置に光学式ピックアップ２が移動すると、ピックアップ制御回路４によるフォーカシング制御動作及びトラッキング制御動作が行われ、記録直前位置から記録開始位置まで再生動作が行われる。
【００３８】
斯かる再生動作が行われると、ディスク１に記録されている信号、即ち記録信号が記録
信号デコード回路１２によってデコード処理されるとともにディスク１にプリグルーブにて記録されているディスク信号がディスク信号デコード回路１３によってデコード処理されるとともにディスク信号のアドレスデータから記録開始位置のアドレスを認識する動作及びディスク信号から得られるディスク同期信号の間隔を測定する動作が行われる(ステップＢ)。斯かる同期信号の間隔測定動作は、同期信号間隔測定回路１４によって行われるが、斯かる測定動作は、例えば周波数の高い測定用クロック信号を生成するクロック信号生成回路を設け、ディスク１から抽出される同期信号と同期信号との間でカウントされる測定用クロック信号の数の値から容易に行うことが出来る。前述した記録直前位置と記録開始位置との間で再生されるディスク信号から抽出されるディスク同期信号は、所定の間隔にて再生されて抽出されるので再生動作が正常に行われている状態では、測定される間隔は所望の値になる
斯かるアドレスの認識動作及びディスク同期信号の間隔測定動作が行われ、記録開始位置のアドレスが認識されたか、ディスク同期信号の間隔が正常か否かの判定が行われる(ステップＣ)。ステップＣにおいて、アドレスが正確に認識され、且つディスク同期信号の間隔が正常であると判定されると、ディスク信号デコード回路１３にて抽出されるディスク信号に含まれるディスク同期信号とクロック信号生成回路１５から記録動作を行うために生成される記録用クロック信号との同期処理動作が同期処理回路１６によって行われる。斯かる同期処理に加えてレーザー駆動回路１０からレーザー素子に供給される駆動電流を記録動作を行うために設定された値にする動作が行われ、記録開始位置からバッファ用ＲＡＭ１１から読み出された記録信号のディスク１への記録動作が開始される(ステップＤ)。
【００３９】
以上に説明したようにディスク信号から得られるアドレスデータが正常に認識され、且つディスク同期信号の間隔が正常の場合には、所望する位置からの記録動作は行われるが、ディスク１のバラツキ等によってＡＤＩＰ信号、即ちディスク信号の読み出し動作を正確が行えない場合があり、この場合には記録再開動作を正確に行えないことになる。本発明は、斯かる問題を解決するために次のような制御動作を行うように構成されている。
【００４０】
即ち、ステップＣにてディスク信号から得られるアドレスが認識されなかった場合やディスク同期信号の間隔が異常の場合には、記録信号があるか否かの判定動作が行われる(ステップＥ)。ディスク１の記録直前位置から記録開始位置までに記録されている信号の再生動作は、ステップＢにおいて行われているので、ステップＣの判定動作によりアドレスが認識されないと判定された時点で直ちにステップＥの判定動作は行われる。
【００４１】
ステップＥの判定動作によって記録信号があると判定されると、記録直前位置に光学式ピックアップ２を移動させ、その記録直前位置から再生動作を行うとともに再生される記録信号のアドレスデータから記録開始位置のアドレスを認識し、記録動作を開始させる(ステップＦ)。即ち、ディスク１に記録されている信号には、ディスク信号から得られるアドレスに基くアドレスデータや同期信号が付加されて記録されており、記録信号からこのアドレスデータや記録同期信号を抽出することが出来る。従って、この抽出される記録同期信号を利用してクロック信号生成回路１４から記録動作を行うために生成される記録用クロック信号との同期処理動作が同期処理回路１６によって行われる。斯かる同期処理に加えてレーザー駆動回路１０からレーザー素子に供給される駆動電流を記録動作を行うために設定された値にする動作が行われ、記録開始位置からバッファ用ＲＡＭ１１から読み出された記録信号のディスク１への記録動作を行うことが出来る。
【００４２】
ステップＥにおいて、記録信号があると判定された場合の動作は、前述したように行われるが、次に記録信号は無いと判定された場合について説明する。記録信号が無いと判定された場合には、記録直前位置に光学式ピックアップ２を移動させて前述したように再生動作を行い、ディスク１から再生されるディスク信号に含まれるアドレスデータの抽出動
作を行い、抽出されたアドレスデータから記録開始位置のアドレスを認識するための動作を行うとともディスク同期信号の間隔測定動作が行われる(ステップＧ)。斯かる認識動作は、ステップＢ及びＣにおける動作によってディスク信号に含まれるアドレスデータが認識されない場合であっても認識されることがあるからである。即ち、記録開始位置におけるアドレス認識動作が行われている状態におけるディスク１の回転特性や光学式ピックアップ２のフォーカシング制御動作及びトラッキング制御動作の変化によりアドレスデータを認識することが出来ることが従来から確認されている。
【００４３】
ステップＧの動作が行われると、所望のアドレスが認識されたか否かの判定動作及び同期信号の間隔は正常か否かの判定が行われる(ステップＨ)。ステップＨにて所望のアドレスが認識されるともに同期信号の間隔が正常と判定された場合は、前述したステップＤの動作が行われ、所望の位置から記録動作が開始される。
【００４４】
ステップＨにてアドレスが認識されないかディスク同期信号の間隔が正常でなかった場合には、システム制御回路８に組み込まれているカウンター回路(図示せず)のカウント数を１カウント増加させる(ステップＩ)。カウンター回路のカウント数が１だけ増加するとその回数が所定回数か否かの判定動作が行われる(ステップＪ)。ステップＪにて、所定回数ではないと判定された場合には、ステップＧに戻り、前述した動作が再度行われる。
【００４５】
前述した動作が繰り返し行われると、カウンター回路によるカウント値が１ずつ増加するので、その回数が所定値に達することになる。カウント値が所定値に達すると、記録動作を正常に行うことが出来ないと判断し、コンピューター装置７はエラーとして処理動作を行うことになる(ステップＫ)。
【００４６】
以上に説明したように本実施例における記録制御動作は行われるが、同期信号の間隔が正常か否かの判定動作を行うことによって記録動作の開始を制御するようにしたので、バッファ用ＲＡＭ１１に記憶されている記録信号の量が不足することにより記録動作を続けることが出来ないという現象、所謂バッファアンダーランと呼ばれる現象による記録異常動作を防止するためにディスクへの記録中断再開動作を行う場合、即ち記録済みの信号と記録再開後に記録される信号とが連続するように記録中断再開動作を行う必要がある場合のように、正確な同期合わせ処理を行う必要がある場合に正確な記録再開動作を行うことが出来る。
【００４７】
尚、本実施例では、ディスクに予め記録されているディスク信号としてＡＤＩＰ信号を利用したが、プリグルーブではなくランドと呼ばれる部分に記録されているＬＬＰ(Ｌａｎｄ  Ｐｒｅ−Ｐｉｔ)信号を利用することも出来る。
【図面の簡単な説明】
【００４８】
【図１】本発明の記録制御方法を示すフローチャートである。
【図２】本発明に係る光ディスク記録再生装置の一実施例を示す回路図である。
【符号の説明】
【００４９】
１        ディスク
２        光学式ピックアップ
３        ＲＦ信号増幅回路
５        デジタル信号処理回路
７        コンピューター装置
８        システム制御回路
９        信号記録用回路
１０        レーザー駆動回路
１１        バッファ用ＲＡＭ
１２        記録信号デコード回路
１３        ディスク信号デコード回路
１４        同期信号間隔測定回路
１５        クロック信号生成回路
１６        同期処理回路
【図１】
2005228452.tif 000003
【図２】
2005228452.tif 000004